(57)【特許請求の範囲】
【請求項１】
側面から踏み板（４１）が突出している登り梁（１１）と、該登り梁（１１）の中間部と交差するように配置される柱（２１）と、からなり、
前記柱（２１）は、前記登り梁（１１）を境にして上柱（２２）と下柱（２３）に分断されており、上柱（２２）の下端面（２４）と登り梁（１１）の上斜面（１２）、並びに下柱（２３）の上端面（２５）と登り梁（１１）の下斜面（１３）が、それぞれ結合手段を介して一体化しており、
前記結合手段は、上柱（２２）の下端面（２４）および下柱（２３）の上端面（２５）から垂直方向に差し込まれる中空軸（３１）と、
登り梁（１１）の上斜面（１２）および下斜面（１３）に差し込まれて、前記中空軸（３１）と同心に並び且つ端面同士が接触する係合軸（３２）と、
前記中空軸（３１）と前記係合軸（３２）を締結する締結ボルト（３３）と、を備え、
前記中空軸（３１）は、側周面に螺旋状の凸条（３４）が形成され、且つ中心には前記締結ボルト（３３）を挿通するための中孔（３６）が形成されており、
前記係合軸（３２）は、側周面に螺旋状の凸条（３４）が形成され、且つ対になる中空軸（３１）側の端面の中心には、前記締結ボルト（３３）を螺合するための雌ネジ（３７）が形成されていることを特徴とする階段の支持体。
【請求項２】
側面から踏み板（４１）が突出している登り梁（１１）と、該登り梁（１１）の中間部と交差するように配置される柱（２１）と、からなり、
前記登り梁（１１）は、前記柱（２１）を境にして複数の短梁（１４、１５、１６）に分断されており、柱（２１）を境に向かい合う一対の短梁（１４と１５、又は１５と１６）の側端面（１７、１８）が、柱（２１）の側面（２７、２８）と結合手段を介して一体化しており、
前記結合手段は、短梁（１４、１５、１６）の側端面（１７、１８）または柱（２１）の側面（２７、２８）のいずれか一方から水平方向に差し込まれる中空軸（３１）と、
前記中空軸（３１）に対向する柱（２１）または短梁（１４、１５、１６）に差し込まれて、前記中空軸（３１）と同心に並び且つ端面同士が接触する係合軸（３２、３８）と、
前記中空軸（３１）と前記係合軸（３２、３８）を締結する締結ボルト（３３）と、を備え、
前記中空軸（３１）は、側周面に螺旋状の凸条（３４）が形成され、且つ中心には前記締結ボルト（３３）を挿通するための中孔（３６）が形成されており、
前記係合軸（３２、３８）は、側周面に螺旋状の凸条（３４）が形成され、且つ対になる中空軸（３１）側の端面の中心には、前記締結ボルト（３３）を螺合するための雌ネジ（３７）が形成されていることを特徴とする階段の支持体。
【発明の詳細な説明】
【技術分野】
【０００１】
本発明は、個々の踏み板を片持ちで取り付けるために使用される階段の支持体に関する。
【背景技術】
【０００２】
住宅などの小規模な木造建築物に設置される階段は、踏み板を二枚の側桁で挟み込む構造が一般的である。側桁は、階の上下を結ぶように斜方向に配置されており、踏み板は、側桁に加工された溝に差し込まれて固定されている。この構造は、踏み板が強固に支持されるため信頼性が高く、また側桁や踏み板の形状も単純でコストの面でも優れている。しかし側桁と踏み板で構成された階段は、美感という観点では特徴に乏しく、吹き抜けなどの開放された空間には、美感に優れたストリップ階段やスケルトン階段などを設置することがある。
【０００３】
ストリップ階段やスケルトン階段は、隣接する二本の登り梁に踏み板を取り付ける構造で、踏み板のほぼ全域が外部に開放しており、その特有の美感によって来訪者に感銘を与えるほか居住者の満足度も向上する。このストリップ階段については、下記特許文献１および２のような技術が提案されており、中央に二本のささら桁を配置して、この上面や側面に個々の踏み板を固定している。また本願発明者は、特許文献３のような階段を提案している。この階段は、上下の階を結ぶように一本の登り梁を配置して、この側面から踏み板を水平方向に突出させた構造で、個々の踏み板は片持ちで取り付けられており、踏み板が宙に浮いたような特異な外観を呈する。
【特許文献１】特開２００５−１３９６９４号公報
【特許文献２】特開２００６−００９３５８号公報
【特許文献３】特願２００８−００９３３２号
【発明の開示】
【発明が解決しようとする課題】
【０００４】
特許文献３のような踏み板を一本の登り梁で支える階段は、踏み板に作用する荷重によって、登り梁にねじりモーメントが発生する。このねじりモーメントは、想定の範囲内であれば強度上の問題は全くないが、踏み板がわずかに変位することで、通行者に不安感を与える恐れがある。そこで通常は、図９のように登り梁の中間部に数本の柱を建てた上、双方を金具などで締結して登り梁のねじれを防止している。この柱は、建物の骨格となる柱を流用するため、通常は壁の裏側に位置しており、室内からは全く視認できないが、登り梁については、壁よりも室内側にあるため、踏み板と共に室内から容易に視認でき、大断面の登り梁によって室内に重厚な雰囲気を与えることができる。
【０００５】
前記のように、踏み板を一本の登り梁で支える階段は、登り梁が室内に露見しており、特有の雰囲気を醸し出す。これで何らの問題もないが、室内を明るく軽快にしたい場合には、登り梁の重厚さが却って周辺に違和感を与える恐れがあり、登り梁を壁で覆い隠すといった対策を講じることがある。しかし登り梁を壁で覆い隠す場合、図９のような構造では必然的に柱と壁が離れてしまうため、壁を取り付ける構造が複雑になる。また登り梁を覆い隠す必要がない場合でも、登り梁と柱が横に並ぶため占有空間が大きくなり、室内が狭くなるといった問題がある。
【０００６】
本発明はこうした実情を基に開発されたもので、踏み板を片持ちで支える登り梁のねじれを防止でき、しかも占有空間も抑制でき、さらに登り梁を壁で覆い隠すことも可能な階段の支持体の提供を目的としている。
【課題を解決するための手段】
【０００７】
前記の課題を解決するための請求項１記載の発明は、側面から踏み板が突出している登り梁と、該登り梁の中間部と交差するように配置される柱と、からなり、前記柱は、前記登り梁を境にして上柱と下柱に分断されており、上柱の下端面と登り梁の上斜面、並びに下柱の上端面と登り梁の下斜面が、それぞれ結合手段を介して一体化しており、前記結合手段は、上柱の下端面および下柱の上端面から垂直方向に差し込まれる中空軸と、登り梁の上斜面および下斜面に差し込まれて、前記中空軸と同心に並び且つ端面同士が接触する係合軸と、前記中空軸と前記係合軸を締結する締結ボルトと、を備え、前記中空軸は、側周面に螺旋状の凸条が形成され、且つ中心には前記締結ボルトを挿通するための中孔が形成されており、前記係合軸は、側周面に螺旋状の凸条が形成され、且つ対になる中空軸側の端面の中心には、前記締結ボルトを螺合するための雌ネジが形成されていることを特徴とする階段の支持体である。
【０００８】
本発明は、図９と同様、斜方向に配置された登り梁の側面に、踏み板を片持ちで取り付けている階段に用いられ、登り梁と、この登り梁の中間部に接触する柱と、で構成される支持体に関するもので、柱によって登り梁のねじれを防止している。なお登り梁については以下、据え付けられた状態で斜め上を向く面を上斜面、斜め下を向く面を下斜面と規定する。また登り梁に接触する柱は、登り梁の両端以外の中間部に接触していれば、その接触位置には何らの制限もなく、さらに複数の柱を使用する場合もあるが、その間隔も極端に狭くなければ自在に決定できる。そして本発明による柱は、登り梁の上斜面および下斜面に接触するため、登り梁を境にして上側と下側に分断されており、以下、上に位置する方を上柱、下に位置する方を下柱と規定する。このように柱は、登り梁の真上と真下に配置され、双方が同一の垂直面に並ぶため占有空間を削減できる。
【０００９】
柱は、登り梁を境にして分断されるため、上柱の下端面は、登り梁の上斜面に接触して、下柱の上斜面は、登り梁の下斜面に接触する。なお下端面と上端面のいずれも、登り梁の傾きに応じた斜面になっており、双方は隙間なく面接触する。さらに上柱および下柱を登り梁と一体化するため、中空軸と係合軸と締結ボルトで構成される結合手段を使用している。中空軸は、円柱形の金属棒であり、側周面には市販のラグスクリューと同様に螺旋状の凸条が形成されており、上柱の下端面および下柱の上端面から、垂直方向に埋め込まれる。この際、凸条が柱の中に食い込んでいき、双方の間に大きな摩擦が発生するため、中空軸は柱と強固に一体化するほか、柱の経年変形を拘束する機能もある。また中空軸には、締結ボルトを挿通するため円断面の中孔が中心に形成されている。
【００１０】
係合軸は前記の中空軸と同様、円柱形の金属棒であり、側周面には螺旋状の凸条が形成されているが、中孔は形成されておらず、片方の端面の中心に締結ボルトを螺合するための雌ネジが形成されており、登り梁の上斜面および下斜面から、垂直方向に埋め込まれる。したがって係合軸は、上斜面および下斜面に対して交角を有している。この係合軸も凸条を有することから、登り梁と強固に一体化するほか、登り梁の経年変形を拘束する。なお係合軸を登り梁に埋め込む際は、雌ネジを後端に向けて外部に露見させる必要がある。
【００１１】
対になる中空軸と係合軸は、施工の際に双方が同心に並ぶよう、それぞれの埋め込み位置を決めておく必要があり、さらに上柱および下柱が登り梁と接触した際は、中空軸と係合軸もそれぞれの端面同士が接触するよう、埋め込みの際の出入り具合を調整する必要がある。そして中空軸と係合軸が同心に並んだ段階で、中空軸から締結ボルトを差し込んで、係合軸の雌ネジに螺合させて締め付けると、中空軸と係合軸が押し合う状態で一体化する。この際、中空軸および係合軸は、凸条によって上柱や下柱や登り梁と一体化しているため、上柱は登り梁の上斜面に接触して固定され、下柱は登り梁の下斜面に接触して固定され、実質的に登り梁と柱が一体化する。
【００１２】
このように構成することで、登り梁は上柱と下柱に挟み込まれた状態で拘束されるため、登り梁のねじれを防止して踏み板を安定して支持できる。しかも中空軸および係合軸は螺旋状の凸条を介して柱や登り梁と一体化しているため、強度などの面でも優れている。また柱は、登り梁の上斜面および下斜面に接触するため、図９のように登り梁と柱が横に並ぶことはなく、占有空間を抑制できる。
【００１３】
請求項２記載の発明は、側面から踏み板が突出している登り梁と、該登り梁の中間部と交差するように配置される柱と、からなり、前記登り梁は、前記柱を境にして複数の短梁に分断されており、柱を境に向かい合う一対の短梁の側端面が、柱の側面と結合手段を介して一体化しており、前記結合手段は、短梁の側端面または柱の側面のいずれか一方から水平方向に差し込まれる中空軸と、前記中空軸に対向する柱または短梁に差し込まれて、前記中空軸と同心に並び且つ端面同士が接触する係合軸と、前記中空軸と前記係合軸を締結する締結ボルトと、を備え、前記中空軸は、側周面に螺旋状の凸条が形成され、且つ中心には前記締結ボルトを挿通するための中孔が形成されており、前記係合軸は、側周面に螺旋状の凸条が形成され、且つ対になる中空軸側の端面の中心には、前記締結ボルトを螺合するための雌ネジが形成されていることを特徴とする階段の支持体である。
【００１４】
本発明は、請求項１記載の発明とは逆に、登り梁と柱との交差部において、柱を上下に貫通させて、対する登り梁を左右に分断する構造であり、分断された個々の登り梁を短梁と規定する。したがって柱の両側面に短梁が対向するように接触して交差部が形成され、さらに短梁は、請求項１記載の発明と同様、中空軸と係合軸と締結ボルトで構成される結合手段によって柱と一体化される。ただし本発明では、中空軸や係合軸や締結ボルトが水平方向に配置され、しかも中空軸は、必ず柱に埋め込まれる訳ではなく、施工上の都合などで短梁の方に埋め込まれる場合もある。また中空軸に対向する短梁や柱には、中空軸と同心で対になる係合軸を埋め込む必要があり、中空軸から係合軸に向けて締結ボルトを差し込む。
【００１５】
このように柱を境にして登り梁を左右に分断する場合、登り梁に作用するねじりモーメントに対抗するため、柱と短梁との間には少なくとも二本以上の締結ボルトを使用する必要がある。また構造によっては、柱に埋め込まれた係合軸を中心として、その左右両側に中空軸が並ぶ場合もある。その際は係合軸の両端に雌ネジを形成して、両側に締結ボルトを螺合させることになる。
【発明の効果】
【００１６】
請求項１記載の発明のように、踏み板を支持する登り梁の中間部と交差するように柱を配置して、さらに登り梁を境にして柱を上下に分断して、上側にある上柱を登り梁の上斜面に接触させて、下側にある下柱を登り梁の下斜面に接触させて、上柱および下柱に中空軸を埋め込み、対する登り梁の上斜面および下斜面には、中空軸と同心となる係合軸を埋め込み、締結ボルトで登り梁と柱を一体化した階段の支持体によって、登り梁と柱が同一の垂直面に並ぶ。そのため登り梁のねじれを防止しながら、登り梁と柱による占有空間を削減でき、敷地を効率的に利用可能であり、さらに柱に壁板を直接取り付けるだけの簡単な施工で登り梁を覆い隠すことができ、室内が明るく軽快になり、壁面から踏み板だけが水平に突出する特異な室内空間を演出できる。
【００１７】
請求項２記載の発明のように、柱を境にして登り梁を複数の短梁に分断して、柱または短梁に中空軸や係合軸を水平方向に埋め込み、締結ボルトで登り梁と柱を一体化した階段の支持体によって、登り梁と柱が同一の垂直面に並ぶ。そのため登り梁のねじれを防止しながら、登り梁と柱による占有空間を削減でき、請求項１記載の発明と同様な効果が発生する。
【発明を実施するための最良の形態】
【００１８】
図１は請求項１記載の発明による階段の支持体の構成を示しており、図１（Ａ）は全体で、図１（Ｂ）は登り梁１１と上柱２２の締結部である。本図による階段の支持体は、階の上下を斜方向に結ぶ登り梁１１と、この登り梁１１の中間部を支える二本の柱２１によって構成されている。本発明は、踏み板４１を片持ちで支えることを前提としているため、踏み板４１の側端面が登り梁１１の側面に接触しており、双方が前記特許文献３に示す技術などで一体化されている。この踏み板４１に作用する荷重で登り梁にねじりモーメントが発生するが、二本の柱２１によって登り梁１１の変形を防止している。この登り梁１１は、斜め上を向いている面を上斜面１２、これに対向する面を下斜面１３と規定しており、登り梁１１の上下両端で端柱４２と接触しており、内部に配置された金物によって双方が一体化されている。なお端柱４２は、建物の骨格を構成する柱を流用しており、本発明の構成要素ではない。
【００１９】
登り梁１１の中間部を拘束する柱２１は、上柱２２と下柱２３に分断されているが、両柱２２、２３は同軸上に並んでおり、実質的に一本の柱として機能する。上柱２２の底部に位置する下端面２４は、登り梁１１に応じて傾斜しており、同様に下柱２３の上部に位置する上端面２５も、登り梁１１に応じて傾斜しており、登り梁１１の上斜面１２に上柱２２の下端面２４が面接触して、登り梁１１の下斜面１３に下柱２３の上斜面２５が接触してＸ字状の交差部が形成されている。
【００２０】
上柱２２および下柱２３は、単に登り梁１１と面接触するだけではなく、双方を強固に一体化する必要がある。これを実現するのが図１（Ｂ）に示す中空軸３１と係合軸３２と締結ボルト３３である。このうち中空軸３１は円柱形の金属棒であり、上柱２２および下柱２３に埋め込まれて使用され、その側周面にはラグスクリューに似た螺旋状の凸条３４が形成され、また中心には締結ボルト３３のネジ部を挿通させるため、両端を貫通する中孔３６が形成され、さらに両端には、レンチなどの工具を掛けるための六角部３５が形成されている。この中空軸３１を埋め込むため、上柱２２の下端面２４および下柱２３の上端面２５には、垂直方向に延びる下穴２９を所定の位置にあらかじめ加工しておく必要がある。この下穴２９は、凸条３４を除く中空軸３１の直径と同等として、中空軸３１を埋め込む際は凸条３４だけが部材中に食い込むようにする。
【００２１】
係合軸３２についても中空軸３１と同様に円柱形の金属製であり、側周面には螺旋状の凸条３４が形成されているが、中心には中孔３６ではなく雌ネジ３７が形成されている。なお雌ネジ３７は一方の端面だけに形成され、これを取り囲むように六角部３５が形成されているが、反対側は単純な円柱状になっている。係合軸３２は、登り梁１１の上斜面１２および下斜面１３から垂直方向に埋め込まれて、上柱２２および下柱２３を一体化する機能を有するが、その位置は、対向する中空軸３１と同心に揃える必要があり、また埋め込みの際は、雌ネジ３７のある側を後方にして、登り梁１１の上斜面１２や下斜面１３に雌ネジ３７が露見するようにする。
【００２２】
締結ボルト３３は、中空軸３１の中孔３６から登り梁１１に向けて差し込まれて、同心に並ぶ係合軸３２の雌ネジ３７に螺合して、中空軸３１と係合軸３２を一体化する。この締結ボルト３３を締め付けるため、柱２１の側面に窓２６を設けている。窓２６は柱２１の側面を長方形状にくり抜いたもので、その奥で下穴２９と交差している。なお図１（Ｂ）は、登り梁１１と上柱２２との締結部を示しているが、登り梁１１と下柱２３についても同様の構成で締結され、この場合、下柱２３の上端面２５に中空軸３１が埋め込まれて、登り梁１１の下斜面１３に係合軸３２が埋め込まれる。そして柱２１の側面に壁板４３を取り付けていくと、登り梁１１および柱２１を覆い隠すことができ、踏み板４１だけが壁板４３から突出するような形態になる。
【００２３】
図２は、図１に示す登り梁１１と上柱２２と下柱２３の締結部の中央縦断面で、これらを一体化する直前の状態を示している。なお本図は、登り梁１１の下端近傍を想定しており、上柱２２は長尺で下柱２３は短尺になっている。登り梁１１は図のように左右両側に延びており、登り梁１１の上斜面１２および下斜面１３には、有底で垂直方向に延びる下穴１９が所定の位置に加工されており、この下穴１９の中に係合軸３２が埋め込まれている。係合軸３２の凸条３４は登り梁１１の内部に食い込んでおり、この摩擦によって離脱不能に固定されている。なお係合軸３２は上下とも同一形状だが、対向するように配置されており、それぞれの雌ネジ３７は、登り梁１１の外寄りを向いている。
【００２４】
上柱２２の底部には、上斜面１２と傾きの等しい下端面２４が加工されており、その中央には垂直方向に延びる下穴２９が加工されており、この中に中空軸３１が埋め込まれている。中空軸３１には中心を貫通する中孔３６が形成され、さらに側周面には凸条３４が形成され、上柱２２と離脱不能に固定されている。また下柱２３についても、上端面２５から垂直方向に下穴２９が加工されており、この中に中空軸３１が埋め込まれている。そして締結ボルト３３は、上下の中空軸３１の中孔３６から係合軸３２に向けて差し込まれている。なお上柱２２については、中孔３６に締結ボルト３３を差し込んだ後、中空軸３１を上柱２２に埋め込む必要があり、締結ボルト３３を回転させる際は、上柱２２の側面に加工された窓２６から工具を差し入れる。対する下柱２３については、全長が比較的短いため、下穴２９が貫通しており、底から締結ボルト３３を差し込むことができる。
【００２５】
図３は、図２の状態の後、上柱２２および下柱２３を登り梁１１と一体化した状態を示しており、図３（Ａ）は中央縦断面で、図３（Ｂ）は矢印Ｂの方から見た側面である。図３（Ａ）のように、登り梁１１の上斜面１２には、上柱２２の下端面２４が接触しており、また登り梁１１の下斜面１３には、下柱２３の上端面２５が接触している。さらに上柱２２の下端面２４と下柱２３の上端面２５には、中空軸３１が垂直方向に埋め込まれており、また登り梁１１の上斜面１２および下斜面１３には、係合軸３２が垂直方向に埋め込まれている。そして中空軸３１から対になる係合軸３２に向けて締結ボルト３３が差し込まれており、中空軸３１と係合軸３２は端面同士が密着した状態で一体化され、同時に上柱２２および下柱２３も登り梁１１と密着した状態で一体化される。したがって登り梁１１にねじりモーメントが作用した場合でも、上柱２２および下柱２３がこれに抵抗するため、踏み板４１の変形を防止できる。なお、中空軸３１および係合軸３２を埋め込む際は、登り梁１１と柱２１が組み上がった状態において、対になる中空軸３１と係合軸３２の端面同士が面接触できるよう、埋め込み位置を調整する必要がある。
【００２６】
図４は、図１に示す階段の支持体の全体を側面から見たものである。本発明による階段の支持体は、登り梁１１と柱２１とで構成されるが、その周囲には、建物の骨格の一部である横架材４４や端柱４２が配置されており、登り梁１１の両端部は、横架材４４および端柱４２と接触しており、且つ各種の金物４５によって端柱４２と一体化されている。また登り梁１１と交差する柱２１については、上柱２２と下柱２３に分断されており、図３などに示す中空軸３１と係合軸３２と締結ボルト３３によって一体化されている。なお締結ボルト３３を締め付けるため、左上の上柱２２および右下の下柱２３には、上下を貫通する下穴２９が加工されている。しかし左下の下柱２３と右上の上柱２２は長尺であり、下穴２９を上下に貫通させることが難しく、代わりに側面に窓２６を設けている。
【００２７】
このように、登り梁１１の中間部に柱２１が締結しているため、登り梁１１のねじれを防止でき、踏み板４１を安定して支持できる。なお本図では柱２１を二本使用しているが、登り梁１１の延長によっては、より多くの柱２１を使用することもある。しかし登り梁１１と柱２１との締結部の構成は不変である。また、横架材４４と柱２１、横架材４４と端柱４２との締結については従来技術をそのまま適用できるため、図示を省略している。
【００２８】
図５は請求項２記載の発明による階段の支持体の構成を示しており、図５（Ａ）は全体で、図５（Ｂ）は柱２１と登り梁１１の締結部である。本図による階段の支持体も、階の上下を斜方向に結ぶ登り梁１１と、この登り梁１１の中間部を支える二本の柱２１によって構成されている点に変わりはないが、登り梁１１は、柱２１を境にして複数の短梁１４、１５、１６に分断されている。したがって柱２１の両側面２７、２８に短梁１４、１５、１６が対向するように接触しており、これらが中空軸３１と係合軸３２、３８と締結ボルト３３によって一体化されている。他は基本的に図１と同様であり、登り梁１１の最上部に位置する短梁１４と最下部に位置する短梁１６は、それぞれが端柱４２と接触しており、内部に配置された金物によって双方が一体化されている。また中空軸３１および係合軸３２、３８および締結ボルト３３は、図１とは異なり水平方向に配置され、短梁１４、１５、１６または柱２１のいずれか一方に中空軸３１が埋め込まれており、他方に係合軸３２、３８が埋め込まれており、中空軸３１から係合軸３２、３８に向けて締結ボルト３３が差し込まれる。
【００２９】
図６は、図５に示す短梁１５、１６と柱２１の締結部の中央縦断面で、これらを一体化する直前の状態を示している。中央を上下に貫いている柱２１の上方には、左側の短梁１５を固定するための中空軸３１が埋め込まれており、その下には左右の短梁１５、１６を一括して固定するための係合軸３８が埋め込まれており、その下には右側の短梁１６を固定するための中空軸３１が埋め込まれている。この上下二個の中空軸３１は同一形状だが、対になる係合軸３２と接触できるよう、埋め込み位置が調整されている。また中央の係合軸３８については、両端が柱２１の側面２７、２８と一致しており、しかも雌ネジ３７が両側に形成されている。
【００３０】
左側の短梁１５の側端面１７には、柱２１に対応して上方に係合軸３２が埋め込まれており、下方に中空軸３１が埋め込まれている。また右側の短梁１６の側端面１８には、柱２１に対応して上方に中空軸３１が埋め込まれており、下方に係合軸３２が埋め込まれている。そして、それぞれの中空軸３１から係合軸３２、３８に向けて締結ボルト３３を差し込むと、全体が一体化される。なお本図では、短梁１５と短梁１６の締結部を描いているが、短梁１４と短梁１５についても全く同様である。
【００３１】
図７は、図６の状態の後、左右の短梁１５、１６と柱２１を一体化した状態を示している。このように短梁１５、１６を安定して固定するには、一本の短梁１５または１６について二本以上の締結ボルト３３を使用する必要があり、登り梁１１の断面の大きさによっては本数をさらに増やす場合もある。なお本図では、柱２１と短梁１５、１６の境界面で中空軸３１と係合軸３２、３８の端面同士が接触しているが、必ずしもこの形態に限定されるわけではなく、例えば、柱２１に埋め込まれる中空軸３１や係合軸３８を長めにして、柱２１の側面２７、２８から突出させて、対する短梁１５、１６側の係合軸３２や中空軸３１を奥に引き込ませても良い。
【００３２】
図８は、図５に示す階段の支持体の全体を側面から見たものである。登り梁１１は、柱２１を境にして複数の短梁１４、１５、１６に分断されており、柱２１に短梁１４、１５、１６が接触しており、図７などに示す中空軸３１と係合軸３２、３８と締結ボルト３３によって一体化されている。そして本図では、柱２１と登り梁１１との締結部が二箇所に存在しているが、その締結構造は全く同じであり、締結部の上方にある短梁１４、１５の端面上部と、締結部の下方にある短梁１５、１６の端面下部には、係合軸３２が埋め込まれており、対する柱２１には、係合軸３２と同心となるように中空軸３１が埋め込まれており、柱２１から短梁１４、１５、１６に向けて締結ボルト３１が差し込まれており、係合軸３２と螺合している。また締結部の中央に埋め込まれている係合軸３８については、両側に締結ボルト３３が螺合しており、左右の短梁１４、１５、１６を一括して締結している。そのほか、短梁１４、１６と端柱４２とは、図４と同様に各種の金物４５によって一体化されている。
【図面の簡単な説明】
【００３３】
【図１（Ａ）（Ｂ）】請求項１記載の発明による階段の支持体の構成を示す斜視図であり、（Ａ）は全体で、（Ｂ）は登り梁と上柱の締結部である。
【図２】図１に示す登り梁と上柱と下柱の締結部の中央縦断面図で、これらが一体化する直前の状態を示している。
【図３（Ａ）（Ｂ）】図２の状態の後、上柱および下柱を登り梁と一体化した状態を示しており、（Ａ）は中央縦断面図で、（Ｂ）は矢印Ｂの方から見た側面である。
【図４】図１に示す階段の支持体の全体を示す側面図である。
【図５（Ａ）（Ｂ）】請求項２記載の発明による階段の支持体の構成を示す斜視図であり、（Ａ）は全体で、（Ｂ）は柱と登り梁の締結部である。
【図６】図５に示す短梁と柱の締結部の中央縦断面図で、これらが一体化する直前の状態を示している。
【図７】図６の状態の後、左右の短梁と柱を一体化した状態の中央縦断面図である。
【図８】図５に示す階段の支持体の全体を示す側面図である。
【図９】踏み板を片持ちで取り付けている階段の構造例を示す斜視図である。
【符号の説明】
【００３４】
１１  登り梁
１２  上斜面（登り梁）
１３  下斜面（登り梁）
１４  短梁（登り梁）
１５  短梁（登り梁）
１６  短梁（登り梁）
１７  側端面（登り梁）
１８  側端面（登り梁）
１９  下穴（登り梁側）
２１  柱
２２  上柱
２３  下柱
２４  下端面（上柱）
２５  上端面（下柱）
２６  窓
２７  側面（柱）
２８  側面（柱）
２９  下穴（柱側）
３１  中空軸
３２  係合軸（一端だけに雌ネジあり）
３３  締結ボルト
３４  凸条
３５  六角部
３６  中孔
３７  雌ネジ
３８  係合軸（両端に雌ネジあり）
４１  踏み板
４２  端柱
４３  壁板
４４  横架材
４５  金物
【図１（Ａ）（Ｂ）】
0005020883.tif 000002
【図２】
0005020883.tif 000003
【図３（Ａ）（Ｂ）】
0005020883.tif 000004
【図４】
0005020883.tif 000005
【図５（Ａ）（Ｂ）】
0005020883.tif 000006
【図６】
0005020883.tif 000007
【図７】
0005020883.tif 000008
【図８】
0005020883.tif 000009
【図９】
0005020883.tif 000010